(57)【特許請求の範囲】
【請求項１】
ディスクモータの回転軸に固着された固定部材と、
前記固定部材に案内され所定範囲内を上下動するように配置された可動部材と、
前記固定部材に当接して嵌合する位置と固定部材または可動部材から上方に離れた位置との間で移動されるクランパと、からなり、
前記固定部材は、その上面に第１の光ディスクの保持部材を保持する保持手段が設けられ、前記上面の周囲に前記第１の光ディスクをその中心穴と嵌合して位置決めする面が設けられており、
前記クランパは、保持部材の設けられていない第２の光ディスクの上面の高さ位置を決める第１の基準面が下面に設けられ、前記基準面の内側に前記第２の光ディスクの中心穴と嵌合してディスク直径方向の位置決めする凸部が形成されており、
前記可動部材は、周辺上面に付勢手段によって前記第２の光ディスクを前記クランパに圧接するための押圧面となると共に、可動部材が前記固定部材の下限ストッパーと当接しているときに前記第１の光ディスクの中心部フランジ面に当接し高さ位置を決める第２の基準面が設けられており、
前記第１の光ディスクをその中心穴と嵌合して位置決めする面の直径以上であり、かつ前記第２の基準面の最内周部の直径未満である第１の当接面が前記固定部材の上端より低い位置に設けられており、
前記クランパの前記凸部のディスク嵌合面の直径以下であり、かつ前記固定部材の第１の光ディスクをその中心穴と嵌合して位置決めする面の直径以上である第２の当接面が前記クランパの下面に設けられており、
前記第１および第２の当接面同士が当接することにより前記固定部材に対する前記クランパの上下方向位置が決められ、前記第２の光ディスクを保持したときの前記第１の基準面と前記第１の光ディスクを保持したときの前記第２の基準面との高さの差が前記第２の光ディスクの上面と記録面との高さの差と前記第１の光ディスクの中心部フランジ面と記録面との高さの差との和となるように構成された光ディスク保持装置。
【請求項２】
ディスクモータの回転軸に固着された固定部材と、
前記固定部材に案内され所定範囲内を上下動するように配置された可動部材と、
前記固定部材に当接して嵌合する位置と固定部材または可動部材から上方に離れた位置との間で移動されるクランパと、からなり
前記固定部材は、その上面に第１の光ディスクの保持部材を保持する保持手段が設けられ、前記上面の周囲に前記第１の光ディスクをその中心穴と嵌合して位置決めする面が設けられており、
前記クランパは、保持部材の設けられていない第２の光ディスクの上面の高さ位置を決める第１の基準面が下面に設けられており、
前記可動部材は、周辺上面に前記第２の光ディスクの中心穴と嵌合してディスク直径方向の位置決めする凸部が形成されており、前記凸部の上面に可動部材が前記固定部材の下限ストッパーと当接しているときに前記第１の光ディスクの中心部フランジ面に当接し高さ位置を決める第２の基準面が設けられており、前記凸部より外側の上面に付勢手段によって前記第２の光ディスクを前記クランパに圧接するための押圧面が形成されており、
前記第１の光ディスクをその中心穴と嵌合して位置決めする面の直径以上であり、かつ前記第２の基準面の最内周部の直径未満である第１の当接面が前記固定部材の上端より低い位置に設けられており、
前記固定部材の第１の光ディスクをその中心穴と嵌合して位置決めする面の直径以上であり、かつ前記第２の基準面の最内周部の直径未満である第２の当接面が前記クランパの下面に設けられており、
前記第１および第２の当接面同士が当接することにより前記固定部材に対する前記クランパの上下方向位置が決められ、前記第２の光ディスクを保持したときの前記第１の基準面と前記第１の光ディスクを保持したときの前記第２の基準面との高さの差が前記第２の光ディスクの上面と記録面との高さの差と前記第１の光ディスクの中心部フランジ面と記録面との高さの差との和となるように構成された光ディスク保持装置。
【請求項３】
前記可動部材の付勢手段は前記固定部材と前記可動部材との間に配置された弾性部材、または前記クランパに設けられた前記可動部材を吸引する吸引部材、または前記弾性部材および吸引部材の双方である請求項１または２の光ディスク保持装置。
【請求項４】
前記固定部材の上面には、前記第１の光ディスクの保持部材を保持するための保持手段として第１の磁石が取付けられており、また前記可動部材に設けられた前記第２の光ディスクを前記クランパに圧接するための押圧面が第２の光ディスクを前記クランパに圧接するための付勢手段として前記クランパにリング状の第２の磁石が取付けられており、第１の磁石の外径は前記固定部材の前記第１の光ディスクをその中心穴と嵌合してディスク直径方向位置を決める面の直径以下であり、第２の磁石の内径は第１の磁石の外径以上であり、前記第１の磁石および第２の磁石はディスクモータの回転軸の軸方向に着磁され、その磁極の方向が互いに逆方向になるように配置されている請求項１から３のいずれかに記載された光ディスク保持装置。
【発明の詳細な説明】
【０００１】
【産業上の利用分野】
この発明は光ディスク記録再生装置に係わり、特に、二種類の異なる光ディスクを再生または記録可能な装置の光ディスク保持装置に関する。
【０００２】
【従来の技術】
書換可能な光ディスクとしていわゆるミニディスク（以下、ＭＤと記す）が知られおり、ＭＤ専用の記録再生装置が商品化されている。また、再生専用の光ディスクとしてはコンパクトディスク（以下、ＣＤと記す）が知られており、ＣＤ専用の再生装置またはＭＤ以外の光ディスク例えばビディオディスク等とＣＤとのコンパチブル再生装置が商品化されている。
【０００３】
ＣＤおよびＭＤは光ピックアップから記録トラックに照射されたレーザスポットの反射光を受光素子で受光し、受光素子の出力として記録が再生されるという点では共通している。
【０００４】
しかしながら、ＣＤとＭＤでは以下に述べるような相違点がある。すなわち、ＭＤはカートリッジに光ディスクが収納されており、カートリッジに形成した穴およびシャッターを介してカートリッジ内の光ディスクを回転駆動し記録再生を行うが、ＣＤはカートリッジに収納されていない。
【０００５】
また、ＭＤはディスク本体に取付けられた金属板をターンテーブルに取付けられた磁石が吸引することによりディスクをターンテーブルに保持するが、ＣＤには金属板が取付けられておらず、ディスクを上下から挟んでターンテーブルに保持する。
【０００６】
さらに、ＣＤおよびＭＤ共にその中心部に位置決め用の穴が設けられているが、ＣＤの穴の方がＭＤのものより大きく、ＣＤの穴は上下に貫通しており、ＭＤの穴は吸引のための金属板で上側が閉じられている。
【０００７】
このようにＣＤとＭＤではディスク形状や保持部の構造が異なるため、それらを共通のディスクモータで回転駆動し、共通の光ピックアップにより再生するためには光ディスク保持装置に保持されたＣＤおよびＭＤの情報記録面と光ピックアップとの距離を同一とするための工夫が必要となる。特開平５−３０３８１５、特開平５−３０７８２２、特開平５−３０３８６２、特開平６−１３９６９０、特開平６−２２３４７０、特開平７−１４２７４、特開平７−２１６４６、特開平７−２１６５２および特開平７−２１６７３の各公報に提案された光ディスク保持装置はＭＤを単体で保持するターンテーブルとスペーサまたはアダプタ（以下スペーサと称する）を備えており、ＣＤを保持するときはターンテーブルの上にスペーサを載置し、その上にＣＤが載置される。
【０００８】
このようなディスク保持装置では、スペーサを手で取付けたり外したりするか、スペーサを移動させる機構が必要となり、使いにくいものとなり、あるいは機構が複雑となるという欠点があった。
【０００９】
特開平５−２４２５７９、特開平５−３３４７８２、特開平６−７６４４３および特開平６−２７０４７の各公報に提案されたものには、ターンテーブルまたはターンテーブルを保持したディスクモータあるいは光ピックアップが上下動するように構成されている。このような装置ではターンテーブルや光ピックアップを上下に駆動する機構が必要となり、装置が複雑となるという欠点があった。
【００１０】
特開平６−１５０５０５号公報に提案されたディスク保持装置は、クランパおよびＭＤに夫々設けられた磁性体を吸着して保持するターンテーブルがあり、このターンテーブルは単独でＭＤを保持する。ＣＤはクランパに保持され、そのクランパがターンテーブルに保持される。ＣＤをクランパに保持する機構には鋼球とバネが用いられている。すなわち、クランパのＣＤの中心穴と嵌合する円筒面に穴が設けられ、その中にバネと鋼球が配置されている。鋼球はばねで付勢され円筒面から僅かに突出可能となっており、ＣＤを上方向に押してクランパの下面に設けられたクランパの基準面に圧接する。
【００１１】
このような機構によると、鋼球はＣＤとＭＤとの位置決め基準面と記録面との距離の差の範囲内に配置されるので、その直径は極めて小さいものとなる。このような鋼球によってはＣＤをクランパの基準面に十分な圧接力で圧接することができず、ＣＤを回転駆動するトルクが小さいものとなるという欠点があった。
【００１２】
本出願人が先に出願した特願平５−１６７５２０号（特開平７−６４６７）および特願平５−２８７７９２号（特開平７−１２１９６０）に提案された光ディスク保持装置は、ＭＤに設けられた磁性体を吸着する磁石を備えたターンテーブルに可動部材が所定範囲で上下動できるように取付けられている。可動部材は磁石またはバネにより上方向に付勢されている。ＭＤはターンテーブルの磁石に吸着されて保持され、また、ＭＤの基準面と、下限まで押し下げられた可動部材の基準面との当接により上下方向の位置が決められる。
【００１３】
ＣＤを保持するときはクランパが用いられる。クランパはターンテーブルの磁石によりＭＤと同様に吸着され、磁石の設けられたターンテーブルの上面で上下方向の位置が決められる。このように位置決めされたターンテーブルの基準面にＣＤの上面が可動部材により圧接されてＣＤの上下方向の位置が決められる。このようにＣＤおよびＭＤが保持されたときの上下方向の位置が決められるがＣＤおよびＭＤの記録面の高さは同一となるように可動部材およびターンテーブルの基準面の高さが設定されている。
【００１４】
上記の光ディスク保持装置では、ターンテーブルの上面でクランパの上下方向の位置が決められるが、このことによりクランパのモータ軸に対する垂直度が保たれることになる。しかしながらターンテーブルの上面はＭＤの中央の穴に入り込むためその直径は小さいものである。このような直径の小さい部分ではクランパの垂直度を十分に確保することが困難であるという問題があった。従って、ＣＤを保持したときのＣＤとモータ軸との垂直度のばらつきが大きくなり、ＣＤを保持した時、ディスクの面振れによる再生または記録時のフォーカス制御の不安定の要因になっていた。
【００１５】
【発明が解決しようとする課題】
この発明は上記した点に鑑みてなされたものであって、その目的とするところは、ターンテーブルと光ディスクの間にスペーサを介することなく、保持部材の設けられた光ディスクおよび保持部材の設けられていない光ディスクを共通のターンテーブルに保持することにより、コンパチブル再生装置を実現することを可能とする光ディスク保持装置を提供することにある。
【００１６】
この発明の他の目的は光ディスクとモータ軸との垂直度を高い精度で確保し、光ディスクの面振れを最小限に抑えることが可能であり、かつ上記２種類の光ディスクを共通のターンテーブルに保持することができる光ディスク保持装置を提供することである。
【００１７】
【課題を解決するための手段】
この発明の光ディスク保持装置は、ディスクモータの回転軸に固着された固定部材と、前記固定部材に案内され所定範囲内を上下動するように配置された可動部材と、前記固定部材に当接して嵌合する位置と固定部材または可動部材から上方に離れた位置との間で移動されるクランパと、からなり、前記固定部材は、その上面に第１の光ディスクの保持部材を保持する保持手段が設けられ、前記上面の周囲に前記第１の光ディスクをその中心穴と嵌合して位置決めする面が設けられており、前記クランパは、保持部材の設けられていない第２の光ディスクの上面の高さ位置を決める第１の基準面が下面に設けられ、前記基準面の内側に前記第２の光ディスクの中心穴と嵌合してディスク直径方向の位置決めする凸部が形成されており、前記可動部材は、周辺上面に付勢手段によって前記第２の光ディスクを前記クランパに圧接するための押圧面となると共に、可動部材が前記固定部材の下限ストッパーと当接しているときに前記第１の光ディスクの中心部フランジ面に当接し高さ位置を決める第２の基準面が設けられており、前記第１の光ディスクをその中心穴と嵌合して位置決めする面の直径以上であり、かつ前記第２の基準面の最内周部の直径未満である第１の当接面が前記固定部材の上端より低い位置に設けられており、前記クランパの前記凸部のディスク嵌合面の直径以下であり、かつ前記固定部材の第１の光ディスクをその中心穴と嵌合して位置決めする面の直径以上である第２の当接面が前記クランパの下面に設けられており、
【００１８】
前記第１および第２の当接面同士が当接することにより前記固定部材に対する前記クランパの上下方向位置が決められ、前記第２の光ディスクを保持したときの前記第１の基準面と前記第１の光ディスクを保持したときの前記第２の基準面との高さの差が前記第２の光ディスクの上面と記録面との高さの差と前記第１の光ディスクの中心部フランジ面と記録面との高さの差との和となるように構成されたものである。
【００１９】
さらに、この発明の光ディスク保持装置は、ディスクモータの回転軸に固着された固定部材と、前記固定部材に案内され所定範囲内を上下動するように配置された可動部材と、前記固定部材に当接して嵌合する位置と固定部材または可動部材から上方に離れた位置との間で移動されるクランパと、からなり、前記固定部材は、その上面に第１の光ディスクの保持部材を保持する保持手段が設けられ、前記上面の周囲に前記第１の光ディスクをその中心穴と嵌合して位置決めする面が設けられており、
【００２０】
前記クランパは、保持部材の設けられていない第２の光ディスクの上面の高さ位置を決める第１の基準面が下面に設けられており、前記可動部材は、周辺上面に前記第２の光ディスクの中心穴と嵌合してディスク直径方向の位置決めする凸部が形成されており、前記凸部の上面に可動部材が前記固定部材の下限ストッパーと当接しているときに前記第１の光ディスクの中心部フランジ面に当接し高さ位置を決める第２の基準面が設けられており、前記凸部より外側の上面に付勢手段によって前記第２の光ディスクを前記クランパに圧接するための押圧面が形成されており、前記第１の光ディスクをその中心穴と嵌合して位置決めする面の直径以上であり、かつ前記第２の基準面の最内周部の直径未満である第１の当接面が前記固定部材の上端より低い位置に設けられており、前記固定部材の第１の光ディスクをその中心穴と嵌合して位置決めする面の直径以上であり、かつ前記第２の基準面の最内周部の直径未満である第２の当接面が前記クランパの下面に設けられており、
【００２１】
前記第１および第２の当接面同士が当接することにより前記固定部材に対する前記クランパの上下方向位置が決められ、前記第２の光ディスクを保持したときの前記第１の基準面と前記第１の光ディスクを保持したときの前記第２の基準面との高さの差が前記第２の光ディスクの上面と記録面との高さの差と前記第１の光ディスクの中心部フランジ面と記録面との高さの差との和となるように構成されたものである。
【００２２】
また、前記各光ディスク保持装置において、前記可動部材の付勢手段は前記固定部材と前記可動部材との間に配置された弾性部材、または前記クランパに設けられた前記可動部材を吸引する吸引部材、または前記弾性部材および吸引部材の双方としたものである。
【００２３】
さらに、前記各光ディスク保持装置において、前記固定部材の上面には、前記第１の光ディスクの保持部材を保持するための保持手段として第１の磁石が取付けられており、また前記可動部材に設けられた前記第２の光ディスクを前記クランパに圧接するための押圧面が第２の光ディスクを前記クランパに圧接するための付勢手段として前記クランパにリング状の第２の磁石が取付けられており、第１の磁石の外径は前記固定部材の前記第１の光ディスクをその中心穴と嵌合してディスク直径方向位置を決める面の直径以下であり、第２の磁石の内径は第１の磁石の外径以上であり、前記第１の磁石および第２の磁石はディスクモータの回転軸の軸方向に着磁され、その磁極の方向が互いに逆方向になるように配置されているものである。
【００２４】
【作用】
この発明の光ディスク保持装置によれば、磁性体の金属板である保持部材を設けた第１の光ディスクがローディングされたときはクランパは固定部材の上方に保持されたままであり、固定部材に設けた保持手段例えば磁石が第１の光ディスクの金属板を吸引し第１の光ディスクは下方に引張られる。第１の光ディスクは下方に移動しその中心部フランジ面が可動部材の下限の位置において可動部材の圧接面に圧接され上下方向の位置決めが行われる。
【００２５】
第１の光ディスクが下方に移動するときに、第１の光ディスクの中心穴は固定部材に設けられた位置決めする面と嵌合して第１の光ディスクがディスクモータの回転軸と同軸に位置決めされる。ディスクモータの回転は固定部材と可動部材との摩擦力および可動部材と第１の光ディスク中心部フランジ面との摩擦力により第１の光ディスクに伝えられる。
【００２６】
保持部材の設けられていない第２の光ディスクがローディングされたときはクランパは固定部材の方に移動され、固定部材に設けた保持手段がクランパの被吸引部材を吸着し、クランパを固定部材に圧接する。
【００２７】
このとき、固定部材の第１の当接面とクランパの第２の当接面とが当接し、クランパの水平方向の位置が決められる。これらの当接面の内径は第１の光ディスクの中心穴より大きく、クランパのモータ軸に対する十分な垂直度が確保される。
【００２８】
そして、付勢手段により可動部材が上方に付勢され、第２の光ディスクは可動部材により上方に押されクランパの凸部または可動部材の凸部と嵌合して直径方向の位置が決められる。また、第２の光ディスクはクランパの圧接面に圧接され、ディスクモータの回転は固定部材とクランパとの摩擦力およびクランパ圧接面と第２の光ディスク圧接面との摩擦力により第２の光ディスクに伝えられる。
【００２９】
なお、上記の摩擦力の作用する面を摩擦係数が大きくなるように粗く形成し、あるいは、摩擦係数の大きい部材をその面に付設することによりディスクモータの回転を確実に光ディスクに伝えることができる。
【００３０】
また、保持部材の第１の磁石とクランパの第２の磁石を逆極に配置したものは、クランパ、保持部材、可動部材および第１および第２の磁石で形成される磁気回路での起磁力が大きくなり、クランパと固定部材との吸着力およびクランパと可動部材との吸着力を大きくすることができる。
【００３１】
この発明の光ディスク保持装置によると、第２の光ディスクと第１の光ディスクとの双方をディスクモータの回転軸に位置決めして保持し回転駆動することができるが、第２の光ディスクを保持したときのクランパの圧接面と第１の光ディスクを保持したときの可動部材の圧接面との高さの差が第２の光ディスクの上側圧接面と記録面との高さの差と第１の光ディスクの中心部フランジ面と記録面との高さの差との和となっているので、第２の光ディスクの記録面と第１の光ディスクの記録面とが同じ高さに位置し、光ピックアップの高さを変えることなく第１の光ディスクと第２の光ディスクを再生することができ、しかも、光ディスクとモータ軸の垂直度を高い精度で確保し、光ディスクの面振れを最小限に抑えることが可能になる。
【００３２】
【実施例】
この発明の実施例を図面に基づいて説明する。図１（ａ）はこの発明の第１の実施例である光ディスク保持装置のクランパ部分を示す断面図、図２（ａ）は同光ディスク保持装置の本体部分を示す断面図である。図２（ａ）は同光ディスク保持装置のクランパを示す正面図、図２（ｂ）は同クランパを示す下面図である。図３（ａ）は同光ディスク保持装置の本体部分を示す上面図、図３（ｂ）は同本体部分の可動部材が上限位置にある正面図、図３（ｃ）は同本体部分の可動部材が下限位置にある正面図、図３（ｄ）は同本体部分を示す下面図である。
【００３３】
図に示す１はシャーシに固定されたディスクモータの回転軸である。回転軸１は固定部材２の穴に圧入されており、固定部材２は回転軸１と一体になっている。固定部材２の側面には円筒部２ａが形成され、上部周囲にはテーパ部２ｂおよびミニディスク（ＭＤ）の中心穴（図６および図７の１６ｅ）と嵌合してＭＤの半径方向を位置決めするＭＤ位置決め部２ｃが形成されている。円筒部２ａおよびＭＤ位置決め部２ｃは回転軸１と同心となるように形成されている。固定部材２の上面にはリング状の磁石３が埋め込まれている。
【００３４】
固定部材２のＭＤ位置決め部２ｃの下方にはクランパとの当接部２ｅが回転軸１と垂直面を形成するように設けられている。当接部２ｅはクランパの当接部１０ａと当接してクランパを上下方向の位置を決めて回転軸１と垂直に保持する。固定部材２の円筒部２ａに案内されてスムーズに上下動できるように可動部材４が取付けられている。すなわち、可動部材４の内周面４ｄは円筒部２ａと緩く嵌合している。固定部材２の下面にはストッパ５が可動部材４の下面４ｂと当接するようにねじ６，６で締着されている。可動部材４は図１（ｂ）に示すように固定部材２の上限ストッパ部２ｆと当接する位置と可動部材４の下面４ｂがストッパ５と当接する位置との間で移動可能となっている。ストッパ５の上面および上限ストッパ部２ｆは回転軸１に対して垂直面を形成している。またこのように支持された可動部材４の上面４ａおよび下面４ｂは回転軸１に対して垂直に保たれる。
【００３５】
可動部材４には２本の回転止めピン７が圧入されており、ストッパ５に形成された長穴５ａと緩く嵌合している。図１（ａ）に示す８はクランパ本体である。クランパ本体８の下面外周部８ａはコンパクトディスク（ＣＤ）の上面に当接する摩擦部材９が取り付けられている。クランパ本体８の下面中心部８ｂには位置決め部材１０と吸引部材１１とが重なるようにして、ねじ１２，１２で締着されている。なお、位置決め部材１０および吸引部材１１は、クランパ本体８の穴と嵌合したセンターピン１３と嵌合して直径方向の位置が決められている。
【００３６】
位置決め部材１０には固定部材２に当接して上下方向の位置を決める当接部１０ａおよび固定部材２のＭＤ位置決め部２ｃと嵌合して直径方向の位置を決める円筒面１０ｄが形成されている。位置決め部材１０にはさらにコンパクトディスク（ＣＤ）の中心穴と嵌合してディスクの直径方向の位置を決めるＣＤ位置決め部１０ｂが形成されている。ＣＤ位置決め部１０ｂの下部はＣＤをガイドするテーパ部１０ｃと連なっている。
【００３７】
クランパ本体８にはリング状の磁石１４が埋め込まれている。クランパ本体８の側面には図示していないクランパ駆動機構にクランパを取り付けるための保持用溝８ｃが設けられている。可動部材４および吸引部材１１は磁石に吸引される材料で形成されており、その他の部分は磁石に吸引されにくい材料で形成されている。この実施例における各部材の材料を下記に具体的に示す。固定部材２、ストッパ５およびセンターピン１３はオーステナイト系ステンレス鋼、可動部材４、および吸引部材１１は快削鋼、位置決め部材１０は真鍮、クランパ本体８はアルミニューム製である。また、磁石３、１４はネオジウム・鉄・ボロン系希土類磁石（最大エネルギー積：２９４ｋＪｍ３  ）である。
【００３８】
図４および図５は上記光ディスク保持装置で保持されるコンパクトディス（ＣＤ）を示す。コンパクトディスク１５の中心部には直径方向の位置を決めるための中心穴１５ａが設けられている。
【００３９】
図６および図７は上記光ディスク保持装置で保持されるミニディスク（ＭＤ）を示す。ミニディスク１６はカートリッジ１６ａに収納されている。カートリッジ１６ａにはミニディスク１６を保持装置に保持させるための穴１６ｂと光ピックアップからのレーザ光を通すための信号記録再生用穴１６ｃとその穴を開閉するシャッタ１６ｄが設けられている。また、ミニディスク１６の中心部には半径方向の位置決め用のディスク中心穴１６ｅと高さ方向の位置決め用のフランジ面１６ｆが設けられている。さらに、金属板１６ｇが中心穴１６ｅの上側を塞ぐように埋め込まれている。
【００４０】
次に、図８および図９を参照してコンパクトディスク（ＣＤ）が上記保持装置に保持される様子を説明する。最初、クランパ本体８はクランパ駆動機構により固定部材２の真上の図８に示す位置に保持されている。
【００４１】
その状態でコンパクトディスク（ＣＤ）１５はローディング機構により固定部材２の上方に移送された後コンパクトディスク（ＣＤ）１５の中心穴１５ａが可動部材４と略同心となるように可動部材４の上面４ａの上に降ろされる。
【００４２】
次に、クランパ本体８がクランパ駆動機構により下降される。そして、図９に示すように、吸着部材１１が磁石３に吸着される。そのとき、位置決め部材１０に形成した当接部１０ａは固定部材２のテーパ部２ｂに案内されて円筒面１０ｄがＭＤ位置決め部２ｃと嵌合し、クランパ本体８の直径方向の位置が決められる。また、位置決め部材１０の当接部１０ａと固定部材２の当接部２ｅとの当接によりクランパ本体８の上下方向の位置が決められるとともにクランパ本体８の傾きが規制される。
【００４３】
さらに、クランパ本体８に埋め込まれた磁石１４は可動部材４に接近するので、可動部材４をクランパ本体８の方向（上方向）に吸引する。そして、可動部材４の上面４ａに載置されているコンパクトディスク１５は持ち上げられ、ディスク位置決め部材１０のテーパ部１０ｃに案内されて中心穴１５ａがＣＤ位置決め部１０ｂと嵌合し、さらにクランパの摩擦部材９に圧接される。
【００４４】
このようにして、コンパクトディスク１５はディスクモータ回転軸１の中心軸と同軸かつ垂直に位置決めされると共に、ディスクモータの回転力が固定部材２の当接部２ｅと位置決め部材１０の当接部１０ａとの摩擦力および摩擦部材９とコンパクトディスク１５の圧接面との摩擦力を介してコンパクトディスク１５に伝えられるようになる。
【００４５】
次に、図１０および図１１を参照しミニディスク（ＭＤ）が上記保持装置に保持される場合について説明する。この場合クランパ本体８はクランパ駆動機構により上側に保持されたままであるので図示していない。
【００４６】
ミニディスク１６を収納したカートリッジ１６ａは図示していないローディング機構により図１０に示すように固定部材２の上方に移送された後、図１１に示すように固定部材２の上に降ろされる。このときミニディスク１６の中心穴１６ｅを塞ぐように取り付けられた金属板１６ｇは磁石３に吸引される。ミニディスク１６の中心穴１６ｅは固定部材２の上部側面に形成したテーパ部２ｂに案内されＭＤ位置決め部２ｃと嵌合し、ミニディスク１６はディスクモータ回転軸１と同軸に位置決めされる。
【００４７】
また、ミニディスク１６のフランジ面１６ｆは可動部材４の上面４ａに当接する。可動部材４の下面４ｂはストッパ５に当接しているのでミニディスク１６のフランジ面１６ｆは可動部材４の上面４ａに圧接されて、ミニディスク１６の高さ方向の位置が決められると共に、ミニディスク１６の面がディスクモータ回転軸１の中心軸に垂直となるように位置決めされる。
【００４８】
このようにしてミニディスクは保持され、可動部材４は固定部材４、ストッパ５、回転止めピン７と共にディスクモータと一体に回転するので、可動部材４の上面４ａとミニディスク１６のフランジ面１６ｆとの摩擦力を介してミニディスク１６にディスクモータの回転が伝えられる。
【００４９】
コンパクトディスクとミニディスクは夫々図９および図１１に示す状態に保持されるが、図９の状態における摩擦部材９の下面の高さと図１１の状態における可動部材４の上面４ａの高さとの差が、コンパクトディスクの摩擦部材９と接する面と記録面との高さの差とミニディスク１６のフランジ面１６ｆと記録面との高さの差との和に等しくしてあるので、コンパクトディスクおよびミニディスクが保持された状態で双方の記録面の高さが同じとなり、光ピックアップの高さを変えることなく両方のディスクを再生することができる。
【００５０】
この実施例では、クランパの位置決め部材１０の円筒面１０ｄと固定部材２のＭＤ位置決め部２ｃとの嵌合によりクランパの直径方向の位置が決められるので、位置決め部材１０の円筒面１０ｄとＣＤ位置決め部１０ｂおよび固定部材２のＭＤ位置決め部２ｃの精度を高くするだけで、コンパクトディスクの正確な芯出しができる。
【００５１】
図１６にこの実施例のディスク保持装置でＣＤを保持したときと、従来のＣＤ専用のディスク保持装置でＣＤを保持したときの、各周波数での耐振性能（加速度）のデータを示す。この測定データから実施例のものは従来のＣＤ専用のディスク保持装置と比較して遜色のない耐振性能が得られたことが分かる。
【００５２】
図１２に上記第１の実施例の変形例を示す。この例では可動部材４とストッパ５との間に圧縮コイルばね１７を配置し、可動部材４が上方へ付勢されるようにしてある。また、可動部材４の穴と嵌合する回転止めピン１８がストッパ５に固定されている。他の構成は図１に示したものと同様である。このような構成とすることで、クランパ本体８に取り付けた摩擦部材９にコンパクトディスクをより大きい圧力で圧接でき、より大きい回転力をディスクに伝えることができるようになる。また、可動部材が下限位置にきたときも回転止めピン１８が下側に突出せず、高さ方向の必要スペースを小さくすることができる。
【００５３】
図１３に上記第１の実施例の他の変形例を示す。この例ではクランパ本体８に取り付けた位置決め部材１０の当接部１０ａに摩擦係数の大きい摩擦部材１９が付設されている。他の構成は図１に示したものと同様である。このような構成とすることで固定部材２から位置決め部材１０を介してクランパ本体８により大きい回転力を伝えることができる。なお、摩擦部材は固定部材２の当接部２ｅに付設してもよく、固定部材２と位置決め部材１０とのいずれかの当接部または双方の表面を粗くすることにより摩擦係数を大きくしてもよい。
【００５４】
図１４に上記第１の実施例のさらに他の変形例を示す。この例は第１の実施例の回転止めピン７を省略したものである。このような構成とすることで構造を簡単にすることができる。
【００５５】
図１５に上記第１の実施例のさらに他の変形例を示す。この例は第１の実施例における回転止めピン７の代わりに、可動部材４の下面４ｂに摩擦係数の大きい摩擦部材２０を付設したものである。このような構成とすることで構造を簡単にでき、かつ固定部材２から可動部材４に図１４に示す例よりも大きい回転力を伝えることができる。なお、摩擦部材はストッパ５に付設してもよく、可動部材４の下面４ｂとストッパ５とのいずれかの当接面または双方の表面を粗くすることにより摩擦係数を大きくしてもよい。
【００５６】
図１７〜図２３にこの発明の第２の実施例である光ディスク保持装置を示す。第２の実施例は第１の実施例に比較して、ＣＤ位置決め部がクランパ側ではなく、可動部材４に設けられている。すなわち、図１７（ｂ）に示すように、可動部材４の上面周囲にコンパクトディスクを案内するテーパ部４ｅが設けられ、テーパ部４ｅの下部は円筒面で形成されたＣＤ位置決め部４ｆに連なっている。ＣＤ位置決め部４ｆの下端は平面状のＣＤ圧接部４ｇに連なっている。
【００５７】
また、センターピン１３にはつば部１３ａが設けられ、つば部１３ａは吸着部材１１の凹部１１ａに嵌まり込んでいる。そして、クランパ本体８の凸部円筒面８ｄが位置決め部材１０の内周面と嵌合し、クランパ本体８の凸部円下面８ｅは吸着部材１１の上面と直接当接している。このような構成によりクランパ本体８、位置決め部材１０および吸着部材１１が強固かつ正確に位置決めされて一体に固定される。さらに、回転止めピン７は図１２に示した例と同様にストッパ５に固定されている。他の構成およびその作用は第１の実施例と同様であるので説明を省略する。
【００５８】
図２０および図２１に、第２の実施例において、コンパクトディスクが保持される様子が示されている。コンパクトディスク１５はローディング機構により固定部材２の上方に移送され、可動部材４の上に降ろされるが、そのとき、コンパクトディスクの中心穴１５ａは可動部材４のテーパ部４ｅに案内されＣＤ位置決め部４ｆと嵌合してコンパクトディスク１５の直径方向位置決めが行われる。
【００５９】
コンパクトディスクを保持した状態は図２１に示されているが、図から分かるように、可動部材４の上面をコンパクトディスクの下面より高くして磁石１４に接近させることができるので、コンパクトディスクの保持力を強くすることができる。
【００６０】
図２２および図２３に、第２の実施例において、ミニディスクが保持される様子が示されている。図２２に示すように、可動部材４が下限位置にあるときの可動部材４の上面４ａは固定部材２の当接部２ｅより高くしてある。従って、図２３に示すように、ミニディスクが保持されたとき、ミニディスクのフランジ面１６ｆは可動部材４の上面４ａと当接してミニディスクの高さ位置が決められる。
【００６１】
コンパクトディスクとミニディスクは夫々図２１および図２３に示す状態に保持されるが、図２１の状態における摩擦部材９の下面の高さと図２３の状態における可動部材４の上面４ａの高さとの差が、コンパクトディスクの摩擦部材９と接する面と記録面との高さの差とミニディスク１６のフランジ面１６ｆと記録面との高さの差との和に等しくしてあるので、コンパクトディスクおよびミニディスクが保持された状態で双方の記録面の高さが同じとなり、光ピックアップの高さを変えることなく両方のディスクを再生することができる。
【００６２】
図２４に上記第２の実施例の変形例を示す。この例では可動部材４とストッパ５との間に圧縮コイルばね１７を配置し、可動部材４が上方へ付勢されるようにしてある。圧縮コイルばね１７の弾力は可動部材４とコンパクトディスクの重力より大きく設定してあるので、コンパクトディスクが可動部材４に載置されたときに可動部材４が下に移動することがない。このような構成とすることで、クランパ本体８に取り付けた摩擦部材９にコンパクトディスクをより大きい圧力で圧接でき、より大きい回転力をディスクに伝えることができるようになる。
【００６３】
図２５に上記第２の実施例の他の変形例を示す。この例ではクランパ本体８に取り付けた位置決め部材１０の当接部１０ａに摩擦係数の大きい摩擦部材１９が付設されている。他の構成は図１７に示したものと同様である。このような構成とすることで固定部材２から位置決め部材１０を介してクランパ本体８により大きい回転力を伝えることができる。なお、摩擦部材は固定部材２の当接部２ｅに付設してもよく、固定部材２と位置決め部材１０とのいずれかの当接部または双方の表面を粗くすることにより摩擦係数を大きくしてもよい。
【００６４】
図２６に上記第２の実施例のさらに他の変形例を示す。この例は第２の実施例の回転止めピン７を省略したものである。ミニディスクを保持したときには、回転力はストッパ５の上面と可動部材４の下面４ｂとの摩擦力により固定部材２から可動部材４に伝えられる。このような構成とすることで構造を簡単にすることができる。
【００６５】
図２７に上記第２の実施例のさらに他の変形例を示す。この例は第２の実施例における回転止めピン７の代わりに、可動部材４の下面４ｂに摩擦係数の大きい摩擦部材２０を付設したものである。このような構成とすることで構造を簡単にでき、かつ固定部材２から可動部材４に図２６に示す例よりも大きい回転力を伝えることができる。なお、摩擦部材はストッパ５に付設してもよく、可動部材４の下面４ｂとストッパ５とのいずれかの当接面または双方の表面を粗くすることにより摩擦係数を大きくしてもよい。
【００６６】
【発明の効果】
この発明の光ディスク保持装置によれば、保持部材の設けられた光ディスクと保持部材の設けられていない光ディスクとを記録面の高さを同一として同じディスクモータの回転軸に保持することができるので、光ピックアップの高さを変えることなく双方のディスクを再生でき、製造コストの安いコンパチブル再生装置を実現できる。
【図面の簡単な説明】
【図１】図１（ａ）はこの発明の第１の実施例である光ディスク保持装置のクランパ部分を示す断面図、図１（ａ）は同光ディスク保持装置の本体部分を示す断面図である。
【図２】図２（ａ）は同光ディスク保持装置のクランパを示す正面図、図２（ｂ）は同クランパを示す下面図である。
【図３】図３（ａ）は同光ディスク保持装置の本体部分を示す上面図、図３（ｂ）は同本体部分の可動部材が上限位置にある正面図、図３（ｃ）は同本体部分の可動部材が下限位置にある正面図、図３（ｄ）は同本体部分を示す下面図である。
【図４】図４（ａ）は同光ディスク保持装置が保持するＣＤを示す平面図、図４（ｂ）は同ＣＤを示す側面図である。
【図５】同ＣＤを示す断面図の中央部拡大図である。
【図６】図６（ａ）は同光ディスク保持装置が保持するＭＤを示す平面図、図６（ｂ）は同ＭＤを示す側面図、図６（ｃ）は同ＭＤを示す裏面図、図６（ｄ）は同ＭＤを示す断面図である。
【図７】同ＭＤを示す断面図の中央部拡大図である。
【図８】同光ディスク保持装置においてＣＤがローディングされクランパが下降する前の状態を示す断面図である。
【図９】同光ディスク保持装置においてＣＤがローディングされクランパが下降してＣＤを保持した状態を示す断面図である。
【図１０】同光ディスク保持装置においてＭＤが保持装置の上方までローディングされた状態を示す断面図である。
【図１１】同光ディスク保持装置においてＭＤが図１０に示す位置から下降されて保持装置に保持された状態を示す断面図である。
【図１２】図１２（ａ）は同光ディスク保持装置の変形例において可動部材が上限位置にある状態を示す断面図、図１２（ｂ）は同変形例において可動部材が下限位置にある状態を示す断面図である。
【図１３】図１３（ａ）は同光ディスク保持装置の他の変形例においてクランパが固定部材の上方にある状態を示す断面図、図１３（ｂ）は同変形例においてＣＤを保持した状態を示す断面図である。
【図１４】同光ディスク保持装置のさらに他の変形例を示す断面図である。
【図１５】図１５（ａ）は同光ディスク保持装置のさらに他の変形例において可動部材が上限位置にある状態を示す断面図、図１５（ｂ）は同変形例において可動部材が下限位置にある状態を示す断面図である。
【図１６】この発明の第１の実施例である光ディスク保持装置の耐振性能を従来のものと比較して示すグラフである。
【図１７】図１７（ａ）この発明の第２の実施例である光ディスク保持装置のクランパ部分を示す断面図、図１７（ｂ）は同実施例の光ディスク保持装置の本体部分を示す断面図である。
【図１８】図１８（ａ）は同光ディスク保持装置のクランパを示す正面図、図１８（ｂ）は同クランパを示す下面図である。
【図１９】図１９（ａ）は同光ディスク保持装置の本体部分を示す上面図、図１９（ｂ）は同本体部分の可動部材が上限位置にある正面図、図１９（ｃ）は同本体部分の可動部材が下限位置にある正面図である。
【図２０】同光ディスク保持装置においてＣＤがローディングされクランパが下降する前の状態を示す断面図である。
【図２１】同光ディスク保持装置においてＣＤがローディングされクランパが下降してＣＤを保持した状態を示す断面図である。
【図２２】同光ディスク保持装置においてＭＤが保持装置の上方までローディングされた状態を示す断面図である。
【図２３】同光ディスク保持装置においてＭＤが図２２に示す位置から下降されて保持装置に保持された状態を示す断面図である。
【図２４】図２４（ａ）は同光ディスク保持装置の変形例において可動部材が上限位置にある状態を示す断面図、図２４（ｂ）は同変形例において可動部材が下限位置にある状態を示す断面図である。
【図２５】図２５（ａ）は同光ディスク保持装置の他の変形例においてクランパが固定部材の上方にある状態を示す断面図、図２５（ｂ）は同変形例においてＣＤを保持した状態を示す断面図である。
【図２６】図２６（ａ）は同光ディスク保持装置のさらに他の変形例において可動部材が上限位置にある状態を示す断面図、図２６（ｂ）は同変形例において可動部材が下限位置にある状態を示す断面図である。
【図２７】図２７（ａ）は同光ディスク保持装置のさらに他の変形例において可動部材が上限位置にある状態を示す断面図、図２７（ｂ）は同変形例において可動部材が下限位置にある状態を示す断面図である。
【符号の説明】
１  ディスクモータ回転軸
２  固定部材、２ａ  円筒部、２ｂ  テーパ部、２ｃ  ＭＤ位置決め部、
２ｅ  当接部、２ｆ  上限ストッパ部、
３  磁石
４  可動部材、４ａ  上面、４ｂ  下面、４ｃ  穴、４ｄ  内周面、
４ｅ  テーパ部、４ｆ  ＣＤ位置決め部、４ｇ  ＣＤ圧接部
５  ストッパ、５ａ  長穴
６  ねじ
７  回転止めピン
８  クランパ本体、８ａ  下面外周部、８ｂ  下面中心部、８ｃ  保持用溝
８ｄ  凸部円筒面、８ｅ  凸部下面
９  摩擦部材
１０  位置決め部材、１０ａ  当接部、１０ｂ  ＣＤ位置決め部、
１０ｃ  テーパ部、１０ｄ  円筒面
１１  吸引部材、１１ａ  凹部
１２  ねじ
１３  センターピン、１３ａ  つば部
１４  磁石
１５  コンパクトディスク、１５ａ  中心穴
１６  ミニディスク、１６ａ  カートリッジ、１６ｂ  ディスク保持用穴、
１６ｃ  信号記録再生用穴、１６ｄ  シャッタ、１６ｅ  ディスク中心穴、
１６ｆ  フランジ面、１６ｇ  金属板、
１７  圧縮コイルばね
１８  回転止めピン
１９  摩擦部材
２０  摩擦部材
【図１】
0003606952.tif 000002
【図２】
0003606952.tif 000003
【図３】
0003606952.tif 000004
【図４】
0003606952.tif 000005
【図５】
0003606952.tif 000006
【図６】
0003606952.tif 000007
【図７】
0003606952.tif 000008
【図８】
0003606952.tif 000009
【図９】
0003606952.tif 000010
【図１０】
0003606952.tif 000011
【図１１】
0003606952.tif 000012
【図１２】
0003606952.tif 000013
【図１３】
0003606952.tif 000014
【図１４】
0003606952.tif 000015
【図１５】
0003606952.tif 000016
【図１６】
0003606952.tif 000017
【図１７】
0003606952.tif 000018
【図１８】
0003606952.tif 000019
【図１９】
0003606952.tif 000020
【図２０】
0003606952.tif 000021
【図２１】
0003606952.tif 000022
【図２２】
0003606952.tif 000023
【図２３】
0003606952.tif 000024
【図２４】
0003606952.tif 000025
【図２５】
0003606952.tif 000026
【図２６】
0003606952.tif 000027
【図２７】
0003606952.tif 000028